(57)【要約】【課題】カップ下辺部において、ゴワツキ感、締め付け感をなくし、より柔らかい肌あたりを実現したカップ付き衣類を提供する。【解決手段】外衣と、外衣の内側に縫着された内衣とを備え、内衣は、着用者の乳房を収納する左右一対のカップ部と、カップ部を連結するとともに、カップ部を下側から支持する前土台布と、カップ部の脇に延びるカップ脇布と、前土台布およびカップ脇布から後側にかけて延びる後布とを含んで構成され、前土台布は、下辺部において他の部分よりも引張強度が強くなされたパワー強化部分を有する編地から構成される、カップ付き衣類。【選択図】図６
2019060054.tif 000002
【特許請求の範囲】
【請求項１】
外衣と、該外衣の内側に縫着された内衣とを備え、
前記内衣は、着用者の乳房を収納する左右一対のカップ部と、前記カップ部を連結するとともに、該カップ部を下側から支持する前土台布と、前記カップ部の脇に延びるカップ脇布と、前記前土台布および前記カップ脇布から後側にかけて延びる後布とを含んで構成され、
前記前土台布は、下辺部において他の部分よりも引張強度が強くなされたパワー強化部分を有する編地から構成されること、を特徴とするカップ付き衣類。
【請求項２】
前記前土台布は、たて編みの編地から構成され、該編地のたて方向が、前記内衣のヨコ方向となるように構成されている、請求項１に記載のカップ付き衣類。
【請求項３】
前記前土台布は、パワー切り替えにより形成されたパワー強化部分と非強化部分とを、交互に横縞状に有する、請求項１または２に記載のカップ付き衣類。
【請求項４】
前記前土台布は、前記下辺部においてヘム組織を有する、請求項１ないし請求項３のいずれか１項に記載のカップ付き衣類。
【請求項５】
前記外衣は、伸縮性編地から構成される、請求項１ないし請求項４のいずれか１項に記載のカップ付き衣類。
【請求項６】
前記内衣において、前記前土台布および前記後布の下辺部は、前記外衣とは縫着されずに遊離した状態とされている、請求項１ないし請求項５のいずれか１項に記載のカップ付き衣類。
【発明の詳細な説明】
【技術分野】
【０００１】
本発明は、カップ付き衣類に関する。
【背景技術】
【０００２】
従来より、乳房カップを有する女性用衣類として、例えば、ブラジャーとランニングシャツ型のキャミソールとを組み合わせた、いわゆるブラキャミソールなどがある。乳房カップを有する衣類は、着用者の乳房にあてがわれるため、柔らかい感触と膨らみのある立体形状が要求され、女性の衣服として広く普及しており、下着メーカー等も開発に力をいれている（例えば特許文献１、特許文献２参照）。
特許文献１には、カップ布とフロント布と脇布とバック布からなるブラジャーと、その上に着用するストラップ付き外衣とから構成された女性用衣類であって、ブラジャーの両カップ布の頂部から外側縁、脇布およびバック布の上端縁をストラップ付き外衣の内面に縫着一体化し、他の部分を縫着せず遊離してなる女性用衣類が開示されている。
特許文献２には、被服の表地の内側にカップを別体に設けたカップ付き衣料であって、カップ側縁側が緩衝部材及び脇布を介して被服の袖ぐりに縫着し、カップ上辺側とカップ下辺側をフリーとしたカップ付き衣料が開示されている。
【先行技術文献】
【特許文献】
【０００３】
【特許文献１】特開２０００−１４４５０３号公報
【特許文献２】特開２０１１−８４８４７号公報
【発明の概要】
【発明が解決しようとする課題】
【０００４】
しかしながら、上述したようなカップ付き衣類では、バストを支持する、あるいは内衣を身体に密着させ動作時のカップのずり上がりを防止するために、内衣の下辺部にテープが縫着されていたり、折り返されて縫製されたりしていた。このテープや折り返し部分は布の厚みや縫い目があるため、着用時にゴワツキ感があり、肌あたりが悪く柔らかな着用感を得ることが難しかった。
【０００５】
本発明は、このような従来の実情に鑑みて提案されたものであり、本発明の目的は、カップ下辺部において、ゴワツキ感、締め付け感をなくし、より柔らかい肌あたりを実現したカップ付き衣類を提供することにある。
【課題を解決するための手段】
【０００６】
本発明者らは、上記目的を達成するために鋭意検討した結果、内衣の前土台布の下辺部を、パワー切り替えにより強度を強くすることにより、上記目的を達成できることに想到し、本発明を完成させるに至った。
すなわち、本発明は以下のとおりである。
［１］
外衣と、該外衣の内側に縫着された内衣とを備え、
前記内衣は、着用者の乳房を収納する左右一対のカップ部と、前記カップ部を連結するとともに、該カップ部を下側から支持する前土台布と、前記カップ部の脇に延びるカップ脇布と、前記前土台布および前記カップ脇布から後側にかけて延びる後布とを含んで構成され、
前記前土台布は、下辺部において他の部分よりも引張強度が強くなされたパワー強化部分を有する編地から構成されること、を特徴とするカップ付き衣類。
［２］
前記前土台布は、たて編みの編地から構成され、該編地のたて方向が、前記内衣のヨコ方向となるように構成されている、［１］に記載のカップ付き衣類。
［３］
前記前土台布は、パワー切り替えにより形成されたパワー強化部分と非強化部分とを、交互に横縞状に有する、［１］または［２］に記載のカップ付き衣類。
［４］
前記前土台布は、前記下辺部においてヘム組織を有する、［１］ないし［３］のいずれかに記載のカップ付き衣類。
［５］
前記外衣は、伸縮性編地から構成される、［１］ないし［４］のいずれかに記載のカップ付き衣類。
［６］
前記内衣において、前記前土台布および前記後布の下辺部は、前記外衣とは縫着されずに遊離した状態とされている、［１］ないし［５］のいずれか１項に記載のカップ付き衣類。
【発明の効果】
【０００７】
本発明によれば、内衣のカップ下辺部において、布の厚みや縫い目がなくなり、ゴワツキ感、締め付け感をなくし、より柔らかい肌あたりを実現したカップ付き衣類を提供することができる。
【図面の簡単な説明】
【０００８】
【図１】本発明のカップ付き衣類の一例を示す図であり、外衣の前身頃を示す図。
【図２】本発明のカップ付き衣類の一例を示す図であり、外衣の後身頃を示す図。
【図３】本発明のカップ付き衣類の一例を示す図であり、内衣の前身頃を示す図。
【図４】本発明のカップ付き衣類の一例を示す図であり、内衣の前身頃を示す図。
【図５】本発明のカップ付き衣類の一例を示す図であり、内衣の脇部を示す図。
【図６】本発明のカップ付き衣類の一例を示す図であり、内衣の前身頃を拡大して示す図。
【図７】本発明のカップ付き衣類に用いられる編組織の一例を示す図。
【発明を実施するための形態】
【０００９】
以下、本発明の実施の形態について、図面を参照しながら説明する。
図１〜図６は、本発明のカップ付き衣類の好適な実施形態を示す図である。
なお、ブラジャーは基本的には左右で略対称の構造を有する。例えば添付図面において着用者に対し左側に相当するカップ部２１と、右側に相当するカップ部２１´は、ほぼ同様の構成を有する。そのため、以下の説明ではカップ部２１についてのみ説明し、片カップ部２１´については省略する場合がある。それ以外の構成要素についても同様である。
本開示で、カップ付き衣類に関して言及する「ヨコ方向」とは、２つのカップ部の配列方向であり、具体的には、２つのカップのバストトップ位置が互いに最も離れるようにブラジャーを置いたときの、２つのバストトップ位置を結ぶ直線の方向を意図する。本開示で、「バストトップ位置」とは、ブラジャー着用時に着用者のバストトップに対応する位置（すなわち着用者の乳首に対応する位置）を意図する。バストトップ位置は、カップの膨らみ形状（凸形状）の頂部である。
【００１０】
カップ付き衣類１は、外衣１０の内側に、カップ部２１，２１´を備えた内衣２０が縫着されている。
図１，図２に示すように、外衣１０は、前見頃１１と、後身頃１２と、前身頃１１の上辺部１１ａと後身頃１２の上辺部１２ａとを結ぶ一対のストラップ部１３，１３´とを含んで構成される。
外衣１０としては、胸部、背部、肩部、腕部等が露出する衣類のキャミソールやスリップ、あるいは袖刳りが深く首部と腕部を露出するランニング型のタンクトップ等が用いられる。図ではキャミソール型の外衣１０を示している。
外衣１０は、前身頃１１、後身頃１２ともに伸縮性編地とすることにより、密着性と伸縮性を持たせることができる。外衣１０の少なくとも一部が縫製されることなく、筒状に丸編みされた伸縮性編地で構成されていれば、縫い代が入らないためより着心地を良くすることができる。
【００１１】
ストラップ部１３，１３´の一端は外衣１０の前身頃１１に取り付けられ、他端は、エイト環からなる長さ調節具１４に導入されることによって、ストラップ部の長さ調整が可能な状態で、ストラップ部１３，１３´の他端側が、後身頃１２の上辺部１２ａに取り付けられている。
また、ストラップ部１３，１３´の一端は、後身頃１２の上辺部１２ａに直接固着されていてもよい。ストラップ部１３，１３´の態様はこれに限定されず、ストラップ部１３，１３´は、カップ付き衣類１を肩から吊り下げるものであればよい。ストラップ部１３，１３´の取り付け位置は、衣類の形状やデザインによって決定することができる。
【００１２】
図３〜図６に示すように、内衣２０は、着用者の乳房を収納し安定させる左右一対のカップ部２１，２１´と、カップ部２１，２１´を連結するとともに、カップ部２１，２１´を下側から支持する前土台布２２と、カップ部２１，２１´の脇にそれぞれ延びるカップ脇布２３，２３´と、前土台布２２およびカップ脇布２３，２３´から後側（着用者の背面側）にかけて延びる後布２４と、を含んで構成される。後布２４は、一方（例えば右側）の前土台布２２およびカップ脇布２３と、他方（例えば左側）の前土台布２２およびカップ脇布２３´とをつないで筒をなすように設けられる。
内衣２０は、ブラジャーと同様の役割を有し、少なくとも着用者の乳房の下部を通る円周を体に密着した状態になるように形成される。
【００１３】
カップ部２１，２１´は、一枚の連続した生地を用いて形成されたものでもよいし、上カップ部と下カップ部を接合して形成したカップでもよい。カップ部２１，２１´は、モールドで形成されたモールドカップであることが好ましい。
カップ部２１，２１´の形状は、基本的にはブラジャーのカップと同様の形状であって、その大きさもフルカップタイプ、３／４カップタイプ、１／２カップタイプ等のどれでも用いることができる。
【００１４】
そして特に、本実施形態のカップ付き衣類１では、内衣２０の前土台布２２は、下辺部において、パワー切り替えにより他の部分よりも強度（引っ張り強度）が強くなされたパワー強化部分３０とされていることを特徴とする（図５参照）。これにより、パワー強化部分３０がブラジャーにおけるアンダーテープの役割を有し、内衣２０を身体に密着固定し、動作時の内衣２０のずり上がりを抑制する。このとき、パワー強化部分とそれ以外の部分が直線または曲線からなる横縞上に形成されていれば、密着性に優れ好ましい。
【００１５】
内衣２０（前土台布２２および後布２４）はたて編地からなることが好ましい。たて編地とすることで、強度を強くすることができる。たて編地のたて方向が、内衣２０のヨコ方向となるように構成されている。
このたて編地は、非強化部分である主編地３２と、主編地３２よりもパワーが強化されたパワー強化編地３１と、を備える。パワー強化編地３１では、隣接するコースにおける糸の本数および繊度が異なるように弾性糸または非弾性糸が編み込まれている。
主編地３２とパワー強化編地３１とは、カップ付き衣類１のヨコ方向に交互に横縞状に配されている（図５および図６参照）。たて編みによれば、パワー切り替えにより、パワー強化編地３１と、非強化部分である主編地３２とを交互に横縞状に形成することができる。また、内衣２０の下辺部を構成するパワー強化部分３０は、パワー強化編地３１の中でも幅が広く、パワー切り替えによりさらに強化された部分である。
【００１６】
パワー強化編地３１の引張強度（締付パワー）の大きさは、特に限定されるものではないが、内衣２０を身体に密着させ固定支持できる適度であれば特に限定されない。しかし、あまり強すぎると締めつけ感が強くなり、着心地を損ねてしまう。具体的にはたとえば、カップ下部の締付け用には、パワー強化部分３０での製品ヨコ方向パワー（８０％伸長時応力）が１５０〜７００（ｃＮ／幅２．５ｃｍ）、製品ヨコ方向の伸長率（２２．５Ｎ荷重時／幅２．５ｃｍ）が１３０〜３００％のものが好適である。締付パワーの強弱や伸長性は、挿入する弾性糸の本数や繊度により適宜調節することができる。
【００１７】
内衣２０の下辺部（前土台布２２の下辺部２２ｂおよび後布２４の下辺部２４ｂ）は、ヘム組織を有していることが好ましい。内衣２０をたて編地から構成することで、編地の端部をヘム組織とすることができる。パワー強化部分３０は、外縁をヘム組織として編成した編地を用いれば、ヘム組織部分を繊維製品の開口部（内衣２０の下辺部）として好適に縫製することができる。
従来のカップ付きインナーでは、内衣の下辺部にテープ（アンダーテープ）を縫い付けたり折り返して縫製したりしていた。そのため、厚みが生じ着用時にゴワツキ感があり肌あたりも柔らかなものではなかった。
【００１８】
これに対し本実施形態では、内衣２０の下辺部（前土台布２２の下辺部２２ｂおよび後布２４の下辺部２４ｂ）を、パワー強化部分３０で構成するとともにヘム組織とすることにより、アンダーテープの機能を保持したまま、１枚の編地で内衣２０の下辺部を構成することができる。従来のようなテープや折り返しによる布の厚みや、縫い目がないため、着用時にゴワツキ感がなく、柔らかな締め付け感および肌あたりとすることができる。
また、内衣２０の下辺部をヘム組織とすることにより、内衣２０の下辺部にテープを縫着する、又は下辺部を折り返して縫製するといった端末処理工程が不要となるので、工数を削減することができる。
【００１９】
従来のカップ付きインナーでは、内衣の下辺部がヘム組織を有していても、内衣が、たて編地のパワー切り替えにより内衣の下辺部をパワー強化編地としたものではない。また、フリーカット素材も除外される。
【００２０】
例えば、パワー強化部分３０に抜き糸を編み込んで抜き糸の両側に耳環糸を編み込み、各耳環糸にそれぞれの耳環糸の属する側から弾性糸を挿入し、挿入した弾性糸の一部を抜き糸に絡めておく。このたて編地から抜き糸を取り除いて編地を分割することにより、耳環糸に弾性糸を挿入したパワー強化部分３０をヘム組織とし編端部として利用することができる。
【００２１】
本発明のカップ付き衣類１（外衣１０および内衣２０）に使用する糸の素材としては、ポリエステル、ポリアミド、ポリウレタン、ポリプロピレンおよびポリアクリルニトリル等の合成繊維マルチフィラメント糸、レーヨン、キュプラおよびアセテート等の再生繊維マルチフィラメント糸やこれらから得られるスパン糸及び加工糸、並びに混繊糸が挙げられる。更に綿、ウール、麻および絹等の天然繊維やこれらの混紡糸なども挙げられるが、これらに限定されるものではない。
【００２２】
主編地部分３２（パワー非強化部分）およびパワー強化編地３１（パワー強化部分）では、前記の非弾性繊維に加えて弾性繊維を用いている。本実施形態では、非弾性繊維としてナイロンを用い、弾性繊維としてポリウレタンを用いている。
弾性繊維（例えばポリウレタン）の繊度は、例えば１５ｄｔｅｘ〜１０００ｄｔｅｘであり、好ましくは２２ｄｔｅｘ〜５６０ｄｔｅｘである。非弾性繊維（例えばナイロン）の繊度は、例えば２２ｄｔｅｘ〜１７０ｄｔｅｘであり、好ましくは３３ｄｔｅｘ〜９０ｄｔｅｘである。
【００２３】
本実施形態のカップ付き衣類１（外衣１０および内衣２０）の編組織は、目的とする用途やデザインなどにより適宜設計変更でき、インナーウエア用編地としては、通常、ラッシェル、トリコット、シングルジャージ、ダブルジャージなどが好ましく用いられる。
【００２４】
図７に、本実施形態のカップ付き衣類１に用いられる編地の組織図の一例を示す。
この例では、編糸としてナイロン（Ｎｙ）を７５％、ポリウレタン（Ｐｕ）を２５％の混用率で用いている。
主編地３２（非強化部分）では、Ｎｙ５６Ｔ，Ｐｕ１５５Ｔ，Ｐｕ４４Ｔ，Ｐｕ１５５Ｔを用いている。パワー強化編地３１では、Ｎｙ３３Ｔ，Ｎｙ５６Ｔ，Ｐｕ１５５Ｔ，Ｐｕ４４Ｔ，Ｐｕ１５５Ｔを用いている。すなわち、編糸にＮｙ３３Ｔを用いるか否かでパワーを切り替えている（５６Ｔとは５６ｄｔｅｘの糸であることを示す）。
パワー強化編地３１は、所要の編み組織等に従ってラッシェル編機、トリコット編機等のたて編機を選択して編成することができる。また、たとえば、ヘム組織部分に適宜柄糸を挿入しファッション性をもたせることができる。
【００２５】
図５に示すように、内衣２０において、前土台布２２とカップ部２１，２１´のカップ刳り２１ａ，２１´ａとを、伸縮性のあるテープ２５で縫い合わせる。また、カップ部２１，２１´の上辺２１ｂ，２１´ｂをマイクロテープ２６で包む。
内衣２０と外衣１０とは、身頃の脇から背上辺にかけて縫い付けられて一体化される（図４および図６参照）。脇部分では、カップ脇布２３，２３´の上辺２３ａ，２３´ａから前土台布２２の上辺２２ａにかけての袖刳り部分において、外衣１０の前身頃１１の袖刳り部分１１ａに縫着される。背側では、外衣１０の後身頃１２の上縁１２ａと、内衣２０の後布２４の上縁２４ａとが縫着される。
ここで内衣２０において内衣２０の下辺部（前土台布２２の下辺部２２ｂおよび後布２４の下辺部２４ｂ）は、外衣１０に縫着されずに遊離した状態とされている。また本図においてはカップ部２１、２１´の上辺部２１ｂ、２１ｂ´は外衣に縫着されていないが、縫着されていてもよい。
【００２６】
このように構成されたカップ付き衣類１は、外衣１０の内側に、カップ部２１，２１´を備えブラジャー機能を果たす内衣２０が部分的に縫着されて一体になっているので、二つを別々に着けなくてもよく着用が容易になり、着用した場合には、身体を動かしても外衣１０と内衣２０が別々に動かず一緒に動くので、内衣２０が外衣１０から露出するようなことがなくなる。
そして特に本実施形態のカップ付き衣類１では、内衣２０の前側下辺部において、パワー切り替えにより強度が強くなされているとともに、ヘム組織とされているので、ゴワツキ感、締め付け感をなくし、より柔らかい肌あたりを実現したものとなる。
【００２７】
以上、本発明の実施の形態について説明してきたが、本発明はこれに限定されるものではなく、発明の趣旨を逸脱しない範囲で適宜変更可能である。
【産業上の利用可能性】
【００２８】
本発明によるカップ付き衣類を用いることで、カップ下辺側において布の厚みや縫い目がなくなり、ゴワツキ感、締め付け感をなくし、より柔らかい肌あたりを有するものとなり、女性用インナーとして広く利用することができる。
【符号の説明】
【００２９】
１    カップ付き衣類
１０    外衣
１１    前身頃
１１ａ  前身頃上辺部
１２    後身頃
１２ａ  後身頃上辺部
１３，１３´    ストラップ部
１４    長さ調節具
２０    内衣
２１，２１´    カップ部
２１ａ  カップくり
２１ｂ  カップ上辺部
２２    前土台布
２２ａ  前土台上辺部
２３，２３´    カップ脇布
２３ａ  カップ脇布上辺部
２４    後布
２４ａ  後布上辺部
２４ｂ  後布下辺部
２５    テープ
２６    マイクロテープ
３０    パワー強化部分
３１    パワー強化編地
３２    主編地（非強化部分）
【図１】
2019060054.tif 000003
【図２】
2019060054.tif 000004
【図３】
2019060054.tif 000005
【図４】
2019060054.tif 000006
【図５】
2019060054.tif 000007
【図６】
2019060054.tif 000008
【図７】
2019060054.tif 000009